(57)【要約】【課題】ハイレート放電による劣化を適切に抑制し得る非水電解質二次電池の制御装置を提供する。【解決手段】本発明に係る制御装置は、複数の温度センサによって二次電池の異なる箇所の電池温度を検出し（Ｓ１０）、該異なる箇所の電池温度の中から最低温度を選択するステップ（Ｓ２０）と、選択した最低温度を用いて、二次電池の放電による電解質中におけるイオン濃度の偏りに伴って該二次電池の出力性能を低下させる劣化成分を評価するための評価値を算出するステップと、算出された評価値に基づいて上限値を設定するステップと、を実行するように構成されている。【選択図】図２
2018156786.tif 000002
【特許請求の範囲】
【請求項１】
非水電解質二次電池の放電電力が上限値を超えないように該二次電池の放電を制御する制御装置であって、
前記二次電池の異なる箇所にそれぞれ設置された複数の温度センサと、
前記複数の温度センサのそれぞれに電気的に接続された制御部と
を備え、
前記制御部は、
前記複数の温度センサによって前記二次電池の異なる箇所の電池温度を検出し、該異なる箇所の電池温度の中から最低温度を選択するステップと、
前記選択した最低温度を用いて、前記二次電池の放電による電解質中におけるイオン濃度の偏りに伴って該二次電池の出力性能を低下させる劣化成分を評価するための評価値を算出するステップと、
前記算出された評価値に基づいて前記上限値を設定するステップと
を実行するように構成されている、制御装置。
【発明の詳細な説明】
【技術分野】
【０００１】
本発明は、非水電解質二次電池の制御装置に関する。
【背景技術】
【０００２】
軽量で高エネルギー密度が得られるリチウムイオン二次電池等の非水電解質二次電池は、車両搭載用電源として好ましく用いられている。この種の二次電池においては、正極活物質を含む正極活物質層と負極活物を含む負極活物質層との間で、電荷担体（例えばリチウムイオン二次電池の場合、リチウム）を授受することで充放電が行われる。すなわち、充電時には電荷担体が正極活物質から引き抜かれ、イオンとして電解液（電解質）中に放出される。充電時には該電荷担体は負極側に設けられた負極活物質の構造内に入り、ここで正極活物質から外部回路を通ってきた電子を得て、吸蔵される。この種の二次電池の制御装置に関する従来技術として、例えば特許文献１が挙げられる。
【０００３】
特許文献１には、電池温度や放電電流量等から、二次電池の放電による電解質中のイオン濃度の偏りに伴って二次電池の出力性能を低下させる劣化成分を評価するための評価値を算出し、該算出した評価値が閾値を超えた場合に二次電池の放電電力の上限値を低く設定する制御を行う制御装置が開示されている。同文献には、かかる構成によって、ハイレート放電による劣化の抑制を可能とすることが記載されている。
【先行技術文献】
【特許文献】
【０００４】
【特許文献１】国際公開第２０１３／０４６２６３号
【発明の概要】
【発明が解決しようとする課題】
【０００５】
ところで、この種の二次電池においては、電池温度の測定は、一般に電池ケースの蓋体（典型的には上面）に取り付けられた温度センサを用いて行われる。本発明者の知見によれば、二次電池の冷却構造によっては、電池内部に温度差が生じる場合があり得る。例えば、二次電池の冷却を缶底（典型的には底面）で行う場合、電池内部の蓋体付近の温度は、缶底付近の温度よりも高くなりがちである。このように電池内部に温度差が生じた場合に、上記温度センサを用いて前述した評価値を算出すると、評価値は温度が高いと低めに算出される傾向があるため、評価値が上記閾値を超えなくなり、本来出力制限をしなければならない放電電力の上限値を見誤った結果、ハイレート放電による劣化を適切に抑制できない（例えば電池の内部抵抗が上昇する）可能性がある。本発明は、上記課題を解決するものである。
【課題を解決するための手段】
【０００６】
ここで提案される制御装置は、非水電解質二次電池の放電電力が上限値を超えないように該二次電池の放電を制御する制御装置である。この制御装置は、前記二次電池の異なる箇所にそれぞれ設置された複数の温度センサと、前記複数の温度センサのそれぞれに電気的に接続された制御部とを備える。前記制御部は、前記複数の温度センサによって前記二次電池の異なる箇所の電池温度を検出し、該異なる箇所の電池温度の中から最低温度を選択するステップと、前記選択した最低温度を用いて、前記二次電池の放電による電解質中におけるイオン濃度の偏りに伴って該二次電池の出力性能を低下させる劣化成分を評価するための評価値を算出するステップと、前記算出された評価値に基づいて前記上限値を設定するステップと、を実行するように構成されている。かかる構成によると、二次電池内部で温度差が生じた場合に、二次電池の異なる箇所で検出された電池温度の中から最低温度を選択して上記評価値を算出するため、該評価値を用いて二次電池の放電を適切に制御することができる。このため、ハイレート放電による劣化をより確実に抑制することが可能となる。
【図面の簡単な説明】
【０００７】
【図１】本実施形態に係る二次電池の制御装置によって制御される電源システムの構成を示すブロック図である。
【図２】入力許容電流値設定処理ルーチンの一例を示すフローチャートである。
【図３】総通電量と抵抗増加率との関係を示すグラフである。
【発明を実施するための形態】
【０００８】
以下、図面を参照しながら、本発明による実施の形態を説明する。以下の図面においては、同じ作用を奏する部材・部位には同じ符号を付して説明している。なお、各図における寸法関係（長さ、幅、厚さ等）は実際の寸法関係を反映するものではない。また、本明細書において特に言及している事項以外の事柄であって本発明の実施に必要な事柄（例えば、正極及び負極の構成及び製法、二次電池その他の電池の構築に係る一般的技術等）は、当該分野における従来技術に基づく当業者の設計事項として把握され得る。
【０００９】
特に限定することを意図したものではないが、以下では主としてリチウムイオン二次電池を制御する場合を例として、本発明の制御装置に係る好適な実施形態を説明する。なお、本明細書において「リチウムイオン二次電池」とは、電解質イオンとしてリチウムイオン（Ｌｉイオン）を利用し、正負極間におけるＬｉイオンに伴う電荷の移動により充放電が実現される二次電池をいう。
【００１０】
図１は、本実施形態に係るリチウムイオン二次電池１０の制御装置の構成を示すブロック図である。このリチウムイオン二次電池１０の制御装置１は、車両（典型的には自動車、特にハイブリッド自動車、電気自動車、燃料電池自動車のような電動機を備える自動車）に好適に用いられる。
【００１１】
制御装置１は、リチウムイオン二次電池１０に接続された負荷２０と、二次電池１０の温度を検出する温度センサ４０、４２と、二次電池１０に出入りする電流を検出する電流センサ（図示せず）と、前記二次電池の電圧を検出する電圧センサ（図示せず）と、各センサ４０、４２および二次電池１０に電気的に接続された電子制御ユニット（ＥＣＵ）３０とを含む構成であり得る。ＥＣＵ３０は、負荷２０に接続されたリチウムイオン二次電池１０の運転をコントロールするものとして構成されており、所定の情報に基づいて、負荷２０を駆動制御する。リチウムイオン二次電池１０に接続された負荷２０は、該電池１０に蓄えられた電力を消費する電力消費機（例えばモータ）を含み得る。また、該負荷２０は、電池１０を充電可能な電力を供給する電力供給機（充電器）を含み得る。
【００１２】
リチウムイオン二次電池１０は、セパレータを介して対向する正極と負極と、これら正負極間に供給されるリチウムイオンを含む非水電解質とから構成されている。正極および負極には、リチウムイオンを吸蔵および放出し得る活物質が含まれている。電池１０の充電時には、正極の正極活物質からリチウムイオンが放出され、このリチウムイオンは電解質を通じて負極の負極活物質に吸蔵される。また、二次電池１０の放電時には、その逆に、負極の負極活物質に吸蔵されていたリチウムイオンが放出され、このリチウムイオンは電解質を通じて再び正極活物質に吸蔵される。この正極活物質と負極活物質との間のリチウムイオンの移動に伴い、活物質から外部端子へと電子が流れる。これにより、負荷２０に対して放電が行われる。
【００１３】
ここで、本発明者は、ハイレート放電による二次電池１０の劣化を抑制するために、温度センサで検出した電池温度から、電解質中のイオン濃度の偏りに伴って二次電池１０の出力性能を低下させる劣化成分を評価するための評価値を算出し、該算出した評価値に基づいて二次電池１０の放電電力の上限値を設定することを考えている。しかし、本発明者の知見によれば、二次電池１０の冷却構造によっては、電池内部に温度差が生じる場合があり得る。例えば、二次電池１０の冷却を缶底で行う場合、電池内部の蓋体付近の温度は、缶底付近の温度よりも高くなりがちである。このように電池内部に温度差が生じた場合に、上記評価値を算出すると、評価値は温度が高いと低めに算出される傾向があるため、本来出力制限をしなければならない放電電力の上限値を見誤り、ハイレート放電による劣化を適切に抑制できない（例えば電池の内部抵抗が上昇する）可能性がある。
【００１４】
ここで開示される技術においては、このような電池内部に生じ得る温度差に着目し、電池内部に温度差が生じた場合に、二次電池の異なる箇所で検出された電池温度の中から最低温度を選択して上記評価値を算出し、放電電力の上限値を適切に設定することで、ハイレート放電による劣化を確実に抑制するようにしている。
【００１５】
すなわち、この制御装置１は、二次電池１０の放電電力が上限値を超えないように該二次電池１０の放電を制御する装置である。この制御装置１は、二次電池１０の異なる箇所にそれぞれ設置された複数の温度センサ４０、４２と、複数の温度センサ４０、４２のそれぞれに電気的に接続された制御部３０とを備える。制御部３０は、複数の温度センサ４０、４２によって二次電池１０の異なる箇所の電池温度を検出し、該異なる箇所の電池温度の中から最低温度を選択するステップ（最低温度選択ステップ）と、選択した最低温度を用いて、二次電池１０の放電による電解質中におけるイオン濃度の偏りに伴って該二次電池の出力性能を低下させる劣化成分を評価するための評価値を算出するステップ（評価値算出ステップ）と、算出された評価値に基づいて前記上限値を設定するステップ（上限値設定ステップ）と、を実行するように構成されている。
【００１６】
ＥＣＵ３０の典型的な構成には、少なくとも、かかる制御を行うためのプログラムを記憶したＲＯＭ（Ｒｅａｄ  Ｏｎｌｙ  Ｍｅｍｏｒｙ）と、そのプログラムを実行可能なＣＰＵ（Ｃｅｎｔｒａｌ  Ｐｒｏｃｅｓｓｉｎｇ  Ｕｎｉｔ）と、一時的にデータを記憶するＲＡＭ（ｒａｎｄｏｍ ａｃｃｅｓｓ ｍｅｍｏｒｙ）と、図示しない入出力ポートとが含まれる。二次電池１０には、複数の温度センサ４０、４２と電流センサ（図示せず）と電圧センサ（図示せず）と温度センサとが取り付けられている。電流センサは、二次電池１０に出入りする電流を検出してＥＣＵ３０に出力するものとして構成されている。電圧センサは、二次電池１０の電圧（典型的には端子間電圧）を検出してＥＣＵ３０に出力するものとして構成されている。複数の温度センサ４０、４２は、二次電池１０の異なる箇所にそれぞれ設置されている。この実施形態では、複数の温度センサ４０、４２は、二次電池１０の蓋体（典型的には上面）に取り付けられた第１温度センサ４０と、二次電池１０の缶底（典型的には底面）に取り付けられた第２温度センサ４２とから構成されている。第１温度センサ４０は、二次電池１０の蓋体付近の温度を検出してＥＣＵ３０に出力する。第２温度センサ４２は、二次電池１０の缶底付近の温度を検出してＥＣＵ３０に出力する。二次電池１０に設置される温度センサの数は２つに限らず、例えば３〜１０つでもよい。ＥＣＵ３０には、入力ポートを介して各センサの出力信号が入力される。そして、ＥＣＵ３０は、各センサからの出力信号に基づいて、二次電池１０に出入りする電流値、電圧値および電池温度の情報を取得するようになっている。かかるＥＣＵ３０により、本実施形態の制御部が構成されている。
【００１７】
このように構成された制御装置１の動作について説明する。図２は、本実施形態に係る制御装置１のＥＣＵ３０により実行される処理ルーチンの一部（最低温度選択ステップ）を示すフローチャートである。このルーチンは、予め設定された時間間隔（サイクルタイム）で繰り返し行われる。
【００１８】
図２に示す処理が実行されると、ＥＣＵ３０のＣＰＵは、まず、制御対象のリチウムイオン二次電池１０について、複数の温度センサ４０、４２によって二次電池１０の異なる箇所の電池温度を検出する（ステップＳ１０）。この実施形態では、第１温度センサ４０によって二次電池１０の蓋体付近の温度（以下「蓋温度」とも称する。）を取得する。また、第２温度センサ４２によって二次電池１０の缶底付近の温度（以下「缶底温度」とも称する。）を取得する。次いで、ステップＳ２０において、第１温度センサ４０および第２温度センサ４２で検出された二次電池１０の異なる箇所の電池温度の中から最低温度を選択する。この実施形態では、ＥＣＵ３０は、上記第２温度センサ４２で取得した缶底温度が、第１温度センサ４０で取得した蓋温度よりも低いか否かを判断する。そして、缶底温度が蓋温度よりも低い場合（「ＹＥＳ」の場合）は、缶底温度が最低温度であると判断して、缶底温度を最低温度として選択する。そして、選択した缶底温度を用いて、以降の制御（二次電池の放電の制御）を続行する（ステップＳ３０）。一方、缶底温度が蓋温度以上である場合（「ＮＯ」の場合）は、蓋温度が最低温度であると判断して、蓋温度を最低温度として選択する。そして、選択した缶底温度を用いて、以降の制御（二次電池の放電の制御）を続行する（ステップＳ４０）。
【００１９】
次に、上記選択した最低温度を用いて評価値を算出するステップについて説明する。評価値算出ステップでは、上記選択した最低温度（図２の例では蓋温度または缶底温度）を用いて、二次電池１０の放電による電解質中におけるイオン濃度の偏りに伴って該二次電池１０の出力性能を低下させる劣化成分を評価するための評価値を算出する。上記評価値の算出方法としては、電池温度を用いて、二次電池の放電による電解質中におけるイオン濃度の偏りに伴って該二次電池の出力性能を低下させる劣化成分を評価するための評価値を算出し得るものであれば、特に限定されない。このような評価値に関する技術は、例えば、国際公開第２０１３／０４６２６３号に開示されている。上記評価値の算出は、上記文献を参照して実行することができる。このため、開示された部分に関しては上記文献を参照して詳細な説明は省略し、簡単な説明のみ行う。
【００２０】
上記評価値算出ステップでは、ＥＣＵ３０は、まず、電流センサの出力信号に基づいて、放電電流値Ｉを取得する。次いで、取得した放電電流値Ｉに基づいて、二次電池１０のＳＯＣ（State Of Charge）を算出（推定）する。ＳＯＣは、二次電池１０の満充電容量に対する、現在の充電容量の割合である。ＳＯＣは、例えば、二次電池１０を充放電したときの電流値を積算して算出することができる。あるいは、電圧センサで検出した二次電池１０の端子間電圧からＳＯＣを算出してもよい。次いで、ＥＣＵ３０は、前記選択した最低温度と、上記算出したＳＯＣとを用いて、忘却係数Ａを算出する。ここで、忘却係数Ａは、二次電池１０の電解液中のイオンの拡散速度に対応する係数である。忘却係数Ａは、０＜Ａ×Δｔ＜１の範囲で表される（Δｔ：サイクルタイム）。忘却係数Ａは、予備実験等により予め取得した二次電池の温度と忘却係数Ａとの関係を示すマップを用いて決定することができる。
【００２１】
次いで、ＥＣＵ３０は、評価値の減少量Ｄ（−）を算出する。評価値Ｄ（Ｎ）は、二次電池１０の劣化状態（後述するハイレート劣化）を評価する値である。すなわち、二次電池１０のハイレート放電が継続的に行われると、電解液中のイオン濃度に偏りが発生し、二次電池１０の内部抵抗が増加して出力電圧が急激に低下し始めるハイレート劣化が発生し得る。そのため、ハイレート劣化が発生する前に、ハイレート放電を抑制する必要がある。ここではハイレート劣化を評価するための値として、評価値Ｄ（Ｎ）を設定している。
【００２２】
評価値の減少量Ｄ（−）は、前回（直前）の評価値Ｄ（Ｎ−１）を算出したときから、１回のサイクルタイムΔｔが経過するまでの間において、イオンの拡散に伴うイオン濃度の偏りの減少に応じて算出される。例えば、ＥＣＵ３０は、Ｄ（−）＝Ａ×Δｔ×Ｄ（Ｎ−１）に基づいて、評価値の減少量Ｄ（−）を算出することができる。ここで、Ｄ（Ｎ−１）は、前回（直前）に算出された評価値を示す。初期値としてのＤ（０）は、例えば、０とすることができる。
【００２３】
次いで、ＥＣＵ３０は、予備実験等により予め取得したＳＯＣと電池温度と限界値Ｃとの関係を示すマップを参照して、前記算出したＳＯＣと、前記選択した最低温度とから、限界値Ｃを決定する。上記マップは、例えば二次電池１０の温度（最低温度）が同じであれば、二次電池１０のＳＯＣが高いほど、限界値Ｃが大きくなるように設定され得る。また、二次電池１０のＳＯＣが同じであれば、二次電池１０の温度（最低温度）が高いほど、限界値Ｃが大きくなるように設定され得る。
【００２４】
次いで、ＥＣＵ３０は、評価値の増加量Ｄ（＋）を算出する。評価値の増加量Ｄ（＋）は、前回（直前）の評価値Ｄ（Ｎ−１）を算出したときから、１回のサイクルタイムΔｔが経過するまでの間において、放電に伴うイオン濃度の偏りの増加に応じて算出される。例えば、ＥＣＵ３０は、Ｄ（＋）＝Ｂ／Ｃ×Ｉ×Δｔに基づいて、評価値の増加量Ｄ（＋）を算出することができる。ここで、Ｂは電流係数を示す。電流係数は、予めＲＯＭ等のメモリーに記憶しておくとよい。
【００２５】
次いで、ＥＣＵ３０は、今回のサイクルタイムΔｔにおける評価値Ｄ（Ｎ）を算出する。評価値Ｄ（Ｎ）は、Ｄ（Ｎ）＝Ｄ（Ｎ−１）−Ｄ（−）＋Ｄ（＋）に基づいて算出することができる。ここで、Ｄ（Ｎ）は、今回のサイクルタイムΔｔにおける評価値であり、Ｄ（Ｎ−１）は、前回（直前）のサイクルタイムΔｔにおける評価値である。初期値としてのＤ（０）は、例えば、０に設定することができる。このように、イオン濃度の偏りの増加と、イオン濃度の偏りの減少とを考慮して、評価値Ｄ（Ｎ）を算出することができる。
【００２６】
次に、上記算出した評価値に基づいて、放電電力の上限値を設定するステップについて説明する。放電電力上限値設定ステップでは、上記算出した評価値に基づいて、放電電力の上限値を設定する。放電電力の上限値の設定方法としては、上記算出した評価値に基づいて、放電電力上限値を設定し得るものであれば、特に限定されない。このような放電電力上限値の設定に関する技術は、例えば、国際公開第２０１３／０４６２６３号に開示されている。上記放電電力上限値の設定は、上記文献を参照して実行することができる。このため、開示された部分に関しては上記文献を参照して詳細な説明は省略し、簡単な説明のみ行う。
【００２７】
上記放電電力上限値設定ステップでは、ＥＣＵ３０は、まず、上記算出した評価値Ｄ（Ｎ）が予め定められた目標値Ｄtar+，Ｄtar-を越えたか否かを判別する。目標値Ｄtar+，Ｄtar-は、ハイレート劣化が発生し始める評価値Ｄ（Ｎ）よりも小さい値に設定され、予め設定しておくことができる。目標値Ｄtar+は、正の値であり、目標値Ｄtar-は、負の値である。評価値Ｄ（Ｎ）が目標値Ｄtar+，Ｄtar-を超えていない場合、評価値Ｄ（Ｎ）をメモリーに記憶して評価値Ｄ（Ｎ）の変化を監視する。評価値Ｄ（Ｎ）が目標値Ｄtar+，Ｄtar-を超えていれば、評価値Ｄ（Ｎ）の積算を行う。具体的には、評価値Ｄ（Ｎ）のうち、目標値Ｄtar+，Ｄtar-を超えている部分について、積算を行う。このようにして、積算値ΣＤex（Ｎ）を算出する。ΣＤex（Ｎ）は、今回までのサイクルタイムにおいて、評価値Ｄおよび各目標値Ｄtar+，Ｄtar-の差分を累積した値である。なお、積算値ΣＤex（Ｎ）は、必要に応じて、例えば国際公開第２０１３／０４６２６３号を参照して補正することができる。
【００２８】
次いで、ＥＣＵ３０は、積算値ΣＤex（Ｎ）が閾値Ｋよりも大きいか否かを判別する。閾値Ｋは、ハイレート劣化を許容するための値である。閾値Ｋは、固定値であってもよく、二次電池１０の劣化状態に応じて変更されるものであってもよい。閾値Ｋの決定は、必要に応じて、例えば国際公開第２０１３／０４６２６３号を参照して行うことができる。
【００２９】
積算値ΣＤex（Ｎ）が閾値Ｋ以下の場合、ＥＣＵ３０は、二次電池１０の充放電制御に用いられる出力制限値を最大値に設定する。出力制限値は、二次電池１０の放電を許容する上限値（電力［ｋＷ］）である。ＥＣＵ３０は、二次電池１０の出力電力が出力制限値を超えないように、二次電池１０の放電を制御する。最大値としての出力制限値は、予め決めておくことができる。
【００３０】
積算値ΣＤex（Ｎ）が閾値Ｋよりも大きい場合、ＥＣＵ３０は、出力制限値を最大値よりも小さい値に設定する。出力制限値を低下させるほど、二次電池１０の出力が制限されることになる。積算値ΣＤex（Ｎ）および閾値Ｋの差分に応じて、最大値に対して出力制限値を減少させる量を変化させて設定してもよい。出力制限値の減少量は、例えば、国際公開第２０１３／０４６２６３号を参照して決定することができる。
【００３１】
ＥＣＵ３０は、二次電池１０の放電制御に関する指令を、負荷２０に送信する。この指令には、上記設定された出力制限値に関する情報が含まれる。これにより、二次電池１０の放電電力が、出力制限値を超えないように、二次電池１０の放電が制御される。
【００３２】
上記実施形態によると、二次電池１０内部で温度差が生じた場合に、二次電池の異なる箇所で検出された電池温度から最低温度を選択して評価値Ｄ（Ｎ）を算出するため、該評価値Ｄ（Ｎ）を用いて二次電池の放電を適切に制御することができる。例えば、出力制限値を最大値よりも小さい値に設定する必要がある温度であるにも関わらず、電池内部の最低温度よりも高い電池温度を検出して評価値Ｄ（Ｎ）を算出したがゆえに、積算値ΣＤex（Ｎ）が閾値Ｋを超えなくなり、本来出力制限をしなければならない放電電力（上限値の設定）を見誤るといった事態が生じ難い。このため、ハイレート放電による劣化をより確実に抑制することが可能となる。
【００３３】
以下、本発明に関する試験例を説明するが、本発明を以下の試験例に示すものに限定することを意図したものではない。
【００３４】
シート状の正極集電体および負極集電体にそれぞれ正極活物質および負極活物質が保持された正負の電極シートがセパレータシートを介して捲回され、電解質とともにケースに収容された構成のリチウムイオン二次電池を２つ用意した。
【００３５】
上記用意した各リチウムイオン二次電池の蓋体に第１温度センサを設置し、缶底に第２温度センサを設置した。そして、各リチウムイオン二次電池を車両搭載用電源として自動車に搭載し、ＬＡ#４モードに従って該車両を運転した場合における、抵抗増加率（＝ＩＶ抵抗／初期のＩＶ抵抗）の推移を測定した。その際、実施例では、第１温度センサで取得した蓋温度と、第２温度センサで取得した缶底温度のうち低い方の温度を用いて、前記評価値Ｄ（Ｎ）および前記積算値ΣＤex（Ｎ）を算出し、算出した積算値ΣＤex（Ｎ）が閾値Ｋ以下の場合は、二次電池の充放電制御に用いられる出力制限値を最大値に設定し、積算値ΣＤex（Ｎ）が閾値Ｋよりも大きい場合は、出力制限値を最大値よりも小さい値に設定し、二次電池の出力電力が出力制限値を超えないように、二次電池の放電を制御した。また、比較例では、第１温度センサで取得した蓋温度のみを用いて、前記評価値Ｄ（Ｎ）および前記積算値ΣＤex（Ｎ）を算出した。第１温度センサで取得した蓋温度のみを用いて前記評価値Ｄ（Ｎ）および前記積算値ΣＤex（Ｎ）を算出したこと以外は、実施例と同じ手法で二次電池の放電を制御した。結果を図３に示す。図３は、抵抗増加率の変化を電池の総通電量に対応させて示したものである。
【００３６】
図３に示すように、蓋温度および缶底温度のうち低い方の温度を選択して評価値Ｄ（Ｎ）および積算値ΣＤex（Ｎ）を算出した実施例の電池は、蓋温度のみを用いて評価値Ｄ（Ｎ）および積算値ΣＤex（Ｎ）を算出した比較例に比べて、抵抗増加率の上昇が抑制されていた。実施例では、二次電池の異なる箇所で検出された電池温度から最低温度を選択して評価値Ｄ（Ｎ）を算出したため、該評価値Ｄ（Ｎ）を用いて二次電池の放電を適切に制御することができ、ハイレート放電による劣化をより確実に抑制できたものと推測される。この結果から、二次電池の異なる箇所の電池温度から最低温度を選択して評価値Ｄ（Ｎ）および積算値ΣＤex（Ｎ）を算出し、二次電池の放電を制御することによって、抵抗増加率の上昇が抑制され得ることが確認された。
【００３７】
以上、本発明の具体例を詳細に説明したが、これらは例示にすぎず、請求の範囲を限定するものではない。請求の範囲に記載の技術には、以上に例示した具体例を様々に変形、変更したものが含まれる。
【００３８】
例えば、複数の温度センサを設置する箇所は、前述した蓋体付近および缶底付近に限定されない。例えば、シート状の正極集電体および負極集電体にそれぞれ正極活物質および負極活物質が保持された正負の電極シートがセパレータシートを介して捲回され、電解質とともにケースに収容された構成のリチウムイオン二次電池においては、捲回体（電極体）の内周部と外周部とで温度差が生じ得る。このような場合には、電池内部の捲回体（電極体）の内周部および外周部にそれぞれ温度センサを設置し、該温度センサで検出された電池温度から最低温度を選択して評価値Ｄ（Ｎ）を算出するように構成してもよい。このような場合でも上述した作用効果を得ることができる。
【符号の説明】
【００３９】
１    制御装置
１０  リチウムイオン二次電池
２０  負荷
３０  ＥＣＵ
４０  第１温度センサ
４２  第２温度センサ
【図１】
2018156786.tif 000003
【図２】
2018156786.tif 000004
【図３】
2018156786.tif 000005